(57)【要約】【課題】  表示器を完全に倒伏した状態にできるとともに、筺体内に塵埃等が侵入するのを防止し、かつ装置筺体の美観を損なうのを防止する。【解決手段】  表示器１４は表示器載置用凹嵌部７の軸部９ａに回動自在に支持され、表示器載置用凹嵌部７上に起伏自在に設けられている。表示器１４の裏面側には側面視円弧状に形成された被係止部１８が一体に設けられ、この被係止部１８には被係止面２２ａとこれと連設された非摺接面２２ｂが設けられている。表示器載置用凹嵌部７の裏面側に固定されるブラケット３０には、被係止面２２ａに摺接する摩擦係止部材４０が取り付けられている。表示器１４を表示器載置用凹嵌部７から起こすと、被係止面２２ａに摺接する摩擦係止部材４０の摩擦力によって、表示器１４が所望の表示角度に保持される。表示器１４の表示角度を０°にすると、摩擦係止部材４０は非摺接面２２ｂに対向し、摩擦係止部材４０の弾性変形が解除されるとともに摩擦力も解除される。【選択図】  図７
2005077573.tif 000002
【特許請求の範囲】
【請求項１】
開口を有する表示器載置部が設けられた装置筐体と、前記表示器載置部に回動自在に支持され前記表示器載置部に対して起伏自在であって、前記開口から出没自在な被係止部を有する表示器と、前記装置筺体側に固定され前記被係止部が摺接し摩擦力によって前記表示器が起きた状態を保持する弾性材によって形成した摩擦係止部材とを備え、前記被係止部に、前記表示器が倒伏した状態で前記摩擦係止部材の摺接が解除される非摺接部を設けたことを特徴とする表示器の取付構造。
【請求項２】
請求項１記載の表示器の取付構造において、前記被係止部に、前記表示器が起きた状態と倒伏した状態との間を移行するときに前記摩擦係止部材を圧接する圧接部を設けたことを特徴とする表示器の取付構造。
【請求項３】
請求項１または２記載の表示器の取付構造において、前記摩擦係止部材が取り付けられて前記表示器載置部の裏面に固定され前記開口と前記被係止部との間を閉塞するブラケットを備え、このブラケットに前記被係止部を囲むように開口から前記表示器載置部に臨む壁を設け、前記表示器にこの壁が臨む溝を設けたことを特徴とする表示器の取付構造。
【請求項４】
請求項１ないし３記載のいずれか一項の表示器の取付構造において、前記表示器と前記表示器載置部とに、前記表示器が倒伏した状態で互いに接触する凸部をそれぞれ設けたことを特徴とする表示器の取付構造。
【発明の詳細な説明】
【技術分野】
【０００１】
本発明は、電子機器等に起伏自在となるように設けられた表示器の取付構造に関するものである。
【背景技術】
【０００２】
従来の表示器の取付構造は、表示器の被係止部に弾性材によって形成された摩擦係止部材が所定の押圧力をもって対接し、表示器を回動させると、被係止部に対接した摩擦係止部材の摩擦力によって、表示器を所望の表示角度に設定するものがある（例えば、特許文献１参照）。なお、本出願人は、本明細書に記載した先行技術文献情報で特定される先行技術文献以外には、本発明に密接に関連する先行技術文献を出願時までに見付け出すことはできなかった。
【特許文献１】特願２００３−０５４４７０号明細書（段落「００２１」、図７）
【発明の開示】
【発明が解決しようとする課題】
【０００３】
上述した従来の表示器の取付構造においては、常時被係止部によって摩擦係止部材が押圧された構造であるため、表示器を表示器載置部に倒伏させて表示角度を０°としたときにも、被係止部によって摩擦係止部材が押圧されて弾性変形した状態になっている。このため、表示器が起きた状態から倒伏させたときに、この摩擦係止部材の弾性変形により、摩擦係止部材に弾性復帰力が発生し、この弾性復帰力によって、倒伏させた表示器が起き上がる方向へ僅かに回動してしまい、完全に倒伏した状態にならないという問題があった。また、電子機器の筺体に表示器の被係止部を出没自在とする開口を設けた構造であるために、この開口から筺体内に塵埃が侵入するといった問題もあった。さらに、表示器が倒伏すると表示器と表示器載置部とが接触した状態になるため、表示器載置部に傷が付きやすく、装置筺体の美観を損ねるという問題もあった。
【０００４】
本発明は上記した従来の問題に鑑みなされたものであり、その目的とするところは、表示器を完全に倒伏した状態にできるとともに、筺体内に塵埃等が侵入するのを防止し、かつ装置筺体の美観を損なうのを防止することにある。
【課題を解決するための手段】
【０００５】
この目的を達成するために、請求項１に係る発明は、開口を有する表示器載置部が設けられた装置筐体と、前記表示器載置部に回動自在に支持され前記表示器載置部に対して起伏自在であって、前記開口から出没自在な被係止部を有する表示器と、前記装置筺体側に固定され前記被係止部が摺接し摩擦力によって前記表示器が起きた状態を保持する弾性材によって形成した摩擦係止部材とを備え、前記被係止部に、前記表示器が倒伏した状態で前記摩擦係止部材の摺接が解除される非摺接部を設けたものである。
また、請求項２に係る発明は、請求項１に係る発明において、前記被係止部に、前記表示器が起きた状態と倒伏した状態との間を移行するときに前記摩擦係止部材を圧接する圧接部を設けたものである。
また、請求項３に係る発明は、請求項１または２に係る発明において、前記摩擦係止部材が取り付けられて前記表示器載置部の裏面に固定され前記開口と前記被係止部との間を閉塞するブラケットを備え、このブラケットに前記被係止部を囲むように開口から前記表示器載置部に臨む壁を設け、前記表示器にこの壁が臨む溝を設けたものである。
また、請求項４に係る発明は、請求項１ないし３のいずれか一つに係る発明において、前記表示器と前記表示器載置部とに、前記表示器が倒伏した状態で互いに接触する凸部をそれぞれ設けたものである。
【発明の効果】
【０００６】
以上説明したように、請求項１に係る発明によれば、表示器を完全に倒伏した状態にすることができる。
また、請求項２に係る発明によれば、表示器の表示角度を０°とした状態になったことを確認することができるから、確実に表示角度を０°とすることができるとともに、表示器の表示角度が０°の状態を確実に保持することができ、かつ表示器を表示角度が０°から起き上がらせるときにも、表示器が起き上がりを開始したことを確認できるから使い勝手が向上する。
また、請求項３に係る発明によれば、塵埃の開口から筺体内への侵入を規制することができる。
また、請求項４に係る発明によれば、表示器を倒伏させた状態で、表示器と表示器載置部とが接触しないから、表示器載置部に傷が付くのを防止できるため装置筺体の美観を損なうようなことがない。
【発明を実施するための最良の形態】
【０００７】
以下、本発明の実施の形態を図に基づいて説明する。図１は本発明に係る表示器の取付構造を採用した電話機の前面側から視た斜視図、図２は表示器を取り外した状態の電話機を前面側から視た斜視図、図３は電話機の表示器を起こした状態の斜視図、図４は表示器を背面側から視た斜視図、図５は同じく表示器の底面図、図６は同じくブラケットを示し、同図（ａ）は斜視図、同図（ｂ）は平面図、同図（ｃ）は正面図、同図（ｄ）は側面図、図７は電話機の筺体と表示器とブラケットとを分解した状態を示す分解斜視図、図８は同じく要部の断面図であって、同図（ａ）は表示器を倒伏させた状態を示し、同図（ｂ）は表示器を起こした状態を示す、図９は図８におけるIX部を拡大して示した断面図である。
【０００８】
図１に全体を符号１で示す電子機器としての電話機は、共にプラスチックによって形成されたロアーケース２およびアッパーケース３によって装置の筺体が形成されている。アッパーケース３の幅方向（矢印Ａ−Ｂ方向）の一端側には受話器（図示せず）を載置する受話器載置部４が設けられ、他端側には複数のダイヤルボタン５と多数の機能ボタン６とが設けられている。
【０００９】
アッパーケース３の幅方向と直交する方向、すなわち前後方向（矢印Ｃ−Ｄ方向）のうち、矢印Ｃ方向の端部には、図２に示すように平面視長方形に形成された表示器載置用凹嵌部７が凹設されており、この表示器載置用凹嵌部７の矢印Ｄ方向の端部には、平面視長方形に形成された開口８が穿設されている。この開口８の矢印Ｄ方向の端部の両側端縁には、２つのボス９，９が一体に立設されており、これらボス９，９の上端部には共に矢印Ａ方向に突設された枢支用の軸部９ａ，９ａが一体に設けられている。これら軸部９ａ，９ａに対応して表示器載置用凹嵌部７には２つの孔１０，１０が穿孔されており、これらの孔１０，１０は成型用金型によって軸部９ａ，９ａを形成するときに必要な型抜き用の孔である。表示器載置用凹嵌部７の矢印Ｃ方向の端部の両端部には、矢印Ａ−Ｂ方向に延在する高さの低い凸部１１，１１が一体に設けられている。
【００１０】
図４において、１４はプラスチックによって扁平な直方体状に形成された表示器であって、裏面１５の矢印Ｄ方向の端部には、断面が略半円形に形成された２つの凹部１６，１６が矢印Ａ−Ｂ方向に離間して設けられている。これら凹部１６，１６の矢印Ａ方向の端部には、共に矢印Ａ方向に延設された軸受孔としての非貫通孔１７，１７が凹設されている。凹部１６，１６間には、側面視扇形で中空状に形成されたケーブル導出用の被係止部１８が表示器１４の裏面１５側に一体に突設されており、この被係止部１８の矢印Ｄ側の端部には、図８に示すようにケーブル導出用の開口１９が設けられている。
【００１１】
この被係止部１８の矢印Ａ−Ｂ方向の両端部には大径部２０，２０が設けられ、中央部には小径部２１が設けられており、これら大径部２０，２０と小径部２１とを連設するようにして互いに対向した被係止面２２ａ，２２ａが設けられ、これら被係止面２２ａ，２２ａ間の間隔は長さＬ１に形成されている。これら被係止面２２ａ，２２ａの矢印Ｃ方向の端部には、互いの間隔Ｌ２が間隔Ｌ１よりも大きく形成され、後述する摩擦係止部材４０との摺接を解除する非摺接面２２ｂ，２２ｂが設けられている。これら被係止面２２ａと非摺接面２２ｂとの境界には圧接部としての段部２３ａ，２３ａが設けられ、これら段部２３ａ，２３ａ間を連設するように、小径部２１には、矢印Ａ−Ｂ方向に延在する圧接部としてのリブ２３ｂが一体に突設されている。これら段部２３ａおよびリブ２３ｂは、後述するように、表示器１４を表示器載置用凹嵌部７上で倒伏状態とし表示角度を０°にすると、摩擦係止部材４０の前端部がこれら段部２３ａおよびリブ２３ｂに係合する位置に位置付けられている。
【００１２】
大径部２０，２０の矢印Ｄ方向の端部には、係合部２４，２４が一体に突設されている。２５は裏面１５に凹設された溝であって、被係止部１８を囲むようにして平面視コ字状に形成されており、表示器１４が表示器載置用凹嵌部７に倒伏しているときに、後述するブラケット３０の壁３７がこの溝２５に臨む。２６，２６は表示器１４の裏面１５側に一体に突設された高さの低い凸部であって、矢印Ｃ方向の端部の両端部に矢印Ｃ−Ｄ方向に延在し、表示器１４が表示器載置用凹嵌部７に倒伏したときに、表示器載置用凹嵌部７の凸部１１と互いに直交するようにして接触する。
【００１３】
図６において、３０はプラスチックによって形成されたブラケットであって、基部３１と、この基部３１の両端部に突設された一対の側部３２，３２とによって平面視コ字状に形成されている。基部３１の中央部には、両側部３２，３２と同じ矢印Ｄ方向に突設された舌片３３が設けられており、この舌片３３の表裏には小突起３３ａ，３３ａが一体に突設されている。基部３１の舌片３３の両側には、ストッパ３４，３４が一体に突設されており、後述するように表示器１４の表示角度を最大にすると、このストッパ３４に表示器１４の係合部２４が係合する。両側部３２，３２にはねじ挿通孔３５，３５が設けられており、両側部３２，３２の矢印Ｄ方向の端部には、上記した表示器載置用凹嵌部７の型抜き用の孔１０，１０に嵌合する凸部３６，３６が突設されている。３７は平面視コ字状に形成された壁であって、基部３１および両側部３２，３２の端縁に連設するようにして突設されており、上述したように、表示器１４が表示器載置用凹嵌部７に倒伏しているときに、表示器１４の溝２５にこの壁３７が臨む。
【００１４】
４０は全体が硬質のゴムによって両端が開口し扁平な角筒状に形成された摩擦係止部材であって、中空部４０ａの外形は、舌片３３の外形よりも僅かに小さく形成されている。したがって、この摩擦係止部材４０の中空部４０ａに舌片３３を圧入することにより、中空部４０ａが舌片３３に密着し、中空部４０ａの上・下面に小突起３３ａ，３３ａが食い込むため、摩擦係止部材４０は舌片３３に強固に被冠され、脱落が規制されている。摩擦係止部材４０の幅ｌは、上記した表示器１４の被係止面２２ａ，２２ａ間の間隔Ｌ１よりも僅かに大きく形成され、かつ非摺接面２２ｂ，２２ｂ間の間隔Ｌ２よりも僅かに小さく形成されている。
【００１５】
このように構成されていることにより、表示器１４を、図７に示す状態から表裏を反転させ、凹部１６に、表示器載置用凹嵌部７の軸部９ａを挿入して、表示器１４を表示器載置用凹嵌部７上に載置する。次いで、表示器１４を矢印Ｂ方向、すなわち、表示器１４の幅方向へ移動させることにより、軸部９ａが非貫通孔１７内に嵌入するから、表示器１４が、図８（ｂ）に示すように、軸部９ａを回動中心として回動自在に支持され、表示器載置用凹嵌部７上に起伏自在に載置される。このとき、被係止部１８は、表示器載置用凹嵌部７の開口８から表示器載置用凹嵌部７の裏面側に突出する。
【００１６】
この状態としてから、ブラケット３０の両側部３２を表示器載置用凹嵌部７の裏面に対接させ、ねじ挿通孔３５に挿通させたねじを、表示器載置用凹嵌部７の裏面に設けたねじ部（図示せず）に螺合させることによって、ブラケット３０を表示器載置用凹嵌部７の裏面に取り付ける。このブラケット３０を取り付けることによって、表示器載置用凹嵌部７の孔１０，１０がブラケット３０の凸部３６，３６によって閉塞される。このように、孔１０，１０がブラケット３０の凸部３６，３６によって閉塞されるから、この孔１０，１０から塵埃等がロアーケース２内に侵入するのを防止することができるため、ロアーケース２内における電子回路の短絡等を防止できる。また、被係止部１８の被係止面２２ａや摩擦係止部材４０に塵埃が付着するのを防止できるため、表示器１４の回動動作に支障をきたすようなことがない。
【００１７】
また、ブラケット３０の基部３１および両側部３２，３２が、図３に示すように、表示器載置用凹嵌部７の開口８の周端と被係止部１８との間を閉塞し、壁３７が開口８から上方に突出する。また、ブラケット３０の両側部３２，３２の内側面が、表示器１４の被係止部１８の外側に対接し、被係止部１８が両側部３２，３２に挟まれるため、表示器１４の幅方向（矢印Ａ方向）への移動が規制される。したがって、表示器１４の非貫通孔１７から軸部９ａが外れるようなことがないから、表示器１４が表示器載置用凹嵌部７に回動自在となるように取り付けられる。
【００１８】
このように取り付けられた表示器１４の被係止面２２ａ，２２ａには、摩擦係止部材４０の両側部が所定の押圧力をもって対接する。このため、表示器１４を軸部９ａを回動中心として回動させると、被係止面２２ａ，２２ａに摩擦係止部材４０が摺接するから、これらの間の摩擦力によって、図８（ｂ）に示すように、表示器１４を表示器載置用凹嵌部７から起こし、所望の表示角度に設定することが可能になる。
【００１９】
この状態から、再び、表示器１４を表示器載置用凹嵌部７に倒伏させて、表示器１４の表示角度を０°とすると、同図（ａ）に示すように、摩擦係止部材４０の両側部が表示器１４の非摺接面２２ｂ，２２ｂに対向する。上記したように、非摺接面２２ｂ，２２ｂの間隔Ｌ２が摩擦係止部材４０の幅ｌよりも大きく形成されているため、摩擦係止部材４０の両側部と非摺接面２２ｂ，２２ｂとの圧接が解除される。したがって、被係止面２２ａの押圧による摩擦係止部材４０の弾性変形が解除されるから、摩擦係止部材４０に、倒伏させた表示器１４を起き上がらせる方向への弾性復帰力が発生しないため、表示器１４を容易に倒伏した状態とすることができる。
【００２０】
また、摩擦係止部材４０が被係止面２２ａから非摺接面２２ｂへ移行するときに、図９に示すように、段部２３ａおよびリブ２３ｂによって摩擦係止部材４０が圧接されながらこれら段部２３ａおよびリブ２３ｂを乗り越える。このため、表示器１４を回動操作する操作者は、表示器１４が表示器載置用凹嵌部７に倒伏させて表示角度を０°とした状態になったことを確認することができるから、確実に表示角度を０°とすることができる。また、このとき、段部２３ａおよびリブ２３ｂが摩擦係止部材４０の端面に係合しているため、この係合によって表示器１４の表示角度が０°の状態を確実に保持することができる。さらに、表示器１４を表示角度が０°から起き上がらせるときにも、摩擦係止部材４０が段部２３ａおよびリブ２３ｂによって圧接されながら、これら段部２３ａおよびリブ２３ｂを乗り越えるため、表示器１４が起き上がりを開始したことを確認することができるから使い勝手が向上する。
【００２１】
表示器１４の表示角度が０°になった状態で、上記したように、ブラケット３０の基部３１および両側部３２，３２が、表示器載置用凹嵌部７の開口８の周端と被係止部１８との間を閉塞する。同時に、表示器載置用凹嵌部７の開口８の周囲を囲んでいる壁３７が、図９に示すように、表示器１４の溝２５に臨むため、この壁３７によって塵埃が開口８から筺体内に侵入するのを規制することができる。また、表示器１４の表示角度が０°になった状態で、表示器載置用凹嵌部７の凸部１１に表示器１４の凸部２６が係合するため、表示器１４の裏面と表示器載置用凹嵌部７の表面とが接触しない。したがって、表示器載置部７の表面に傷が付くのを防止できるため、表示器１４を起きあがらせたときに装置筺体の美観を損なうようなことがない。
【００２２】
なお、本実施の形態においては、摩擦係止部材４０を被係止面２２ａに摺接するようにしたが、小径部２１に摺接するようにしてもよい。
【図面の簡単な説明】
【００２３】
【図１】本発明に係る表示器の取付構造を採用した電話機の前面側から視た斜視図である。
【図２】本発明に係る表示器の取付構造を採用した電話機において、表示器を取り外した状態の電話機を前面側から視た斜視図である。
【図３】本発明に係る表示器の取付構造を採用した電話機において、表示器を起こした状態の斜視図である。
【図４】本発明に係る表示器の取付構造を採用した電話機において、表示器を背面側から視た斜視図である。
【図５】本発明に係る表示器の取付構造を採用した電話機における表示器の底面図である。
【図６】本発明に係る表示器の取付構造を採用した電話機において、ブラケットを示し、同図（ａ）は斜視図、同図（ｂ）は平面図、同図（ｃ）は正面図、同図（ｄ）は側面図である。
【図７】本発明に係る表示器の取付構造を採用した電話機において、装置筺体と表示器とブラケットとを分解した状態を示す分解斜視図である。
【図８】本発明に係る表示器の取付構造を採用した電話機の要部の断面図であって、同図（ａ）は表示器を倒伏させた状態を示し、同図（ｂ）は表示器を起こした状態を示す。
【図９】図８におけるIX部を拡大して示した断面図である。
【符号の説明】
【００２４】
１…電話機、２…ロアーケース、３…アッパーケース、５…ダイヤルボタン、７…表示器載置用凹嵌部、８…開口、９ａ…軸部、１１，２６…凸部、１４…表示器、１７…非貫通孔、１８…被係止部、２２ａ…被係止面、２２ｂ…非摺接面、２３…リブ、２５…溝、３０…ブラケット、３７…壁、４０…摩擦係止部材。
【図１】
2005077573.tif 000003
【図２】
2005077573.tif 000004
【図３】
2005077573.tif 000005
【図４】
2005077573.tif 000006
【図５】
2005077573.tif 000007
【図６】
2005077573.tif 000008
【図７】
2005077573.tif 000009
【図８】
2005077573.tif 000010
【図９】
2005077573.tif 000011